(57)【要約】【課題】沈胴状態である非撮影状態におけるレンズ光軸方向の短縮化が可能であるズームレンズ鏡筒を提供する。【解決手段】伸縮可能なズームレンズ鏡筒１は、カムフォロア５１とカムフォロア５２とを備えた一群枠２と、二群ズーム枠６と、二群ズーム枠６に回動可能に支持され、退避可能な二群枠８と、カムフォロア５１と係合摺接するカム溝１２ｃと、二群枠８を退避させるためのカム溝１２ｅ，１２ｆと、二群枠８の退避移動のための逃げ部１２ｈの裏面に配置され、カム溝１２ｃの一部である薄肉状の貫通部１２ｃ5と、該貫通部と同一のカム筋を有し、カムフォロア５１が該貫通部に位置しているとき、カムフォロア５２が摺接するカム溝１２ｄとを有するカム枠１２とを具備しており、ワイドとテレ間のズーム状態にあるとき、一群枠２に作用する衝撃力は、貫通部１２ｃ5とカム溝１２ｄとで受ける。【選択図】図４
2010250175.tif 000002
【特許請求の範囲】
【請求項１】
伸縮可能なズームレンズ鏡筒において、
第一のカムフォロアと第三のカムフォロアとを備え、ズームレンズを構成するズーム光学系の一つのズームレンズを有する第一の移動枠と、
上記ズーム光学系の他の一つのズームレンズを保持し、撮影可能時のズーム動作中は、上記ズームレンズ鏡筒の伸縮動作に応じて上記ズーム光学系の光軸上を移動し、上記ズームレンズ鏡筒が上記撮影可能時より短縮される非撮影時には、上記ズームレンズ鏡筒の短縮動作に連動して上記光軸から退避する退避枠を支持しており、第二のカムフォロアを備えた第二の移動枠と、
上記第一の移動枠を光軸方向に移動させるため、円周壁に設けられ、光軸周りに回転して上記第一のカムフォロアと係合摺接する有底の第一のカム溝と、上記退避枠を上記短縮動作に連動させて上記光軸外に退避させるために上記第二のカムフォロアと係合摺接する第二のカム溝と、上記退避枠が上記退避した状態において、該退避枠の退避動作のために上記円周壁を薄肉化した薄肉部と、該薄肉部の裏面に配置された上記第一のカム溝の一部であって、該薄肉部を貫通した貫通部と、上記第一のカム溝と同一のカム筋を有し、該貫通部と光軸方向に平行して設けられ、少なくとも上記第一のカムフォロアが該貫通部に位置しているときに上記第三のカムフォロアが摺接する第三のカム溝と有したカム枠と、
を具備したことを特徴としたズームレンズ鏡筒。
【請求項２】
上記第二の移動枠は、上記ズーム動作に連動して上記光軸方向に移動し、上記退避枠を上記光軸に平行な軸まわりに回転可能に支持していることを特徴とした請求項ｌ記載のズームレンズ鏡筒。
【請求項３】
上記第三のカム溝は、上記第一のカム溝に対して上記光軸方向前方に配置されていることを特徴とした上記請求項ｌまたは２に記載のズームレンズ鏡筒。
【発明の詳細な説明】
【技術分野】
【０００１】
本発明は、カムフォロアとカム溝とからなる鏡枠進退機構を適用するズームレンズ鏡筒に関する。
【背景技術】
【０００２】
従来、カムフォロアとカム溝とからなる鏡枠進退機構を適用するズームレンズ鏡筒において、特許文献１に開示されたものは、カム枠に単一のレンズ保持枠を進退駆動するための二つのカムピン（カムフォロア）に係合するカム溝として、周方向に沿って二列のカム溝が設けられており、上記二列のカム溝のうち、一方のカム溝は、カムピンに対して隙間のない嵌合状態のカム溝であり、他方のカム溝は、隙間ある係合状態のカム溝で形成されている。上記レンズ保持枠は、上記一方のカム溝によって位置決めされて進退駆動され、衝撃力が作用した場合には他方のカム溝も他方のカムピンに当接する。従って、上記カム溝からのカムピンの脱落や、カム溝へのカムピンの食い込み等が防止され、カム溝の寸法精度を確保すると共に、容易に小型化・軽量化及び製造コストの低減化に寄与することができる。
【先行技術文献】
【特許文献】
【０００３】
【特許文献１】特許第３８１１２８１号公報
【発明の概要】
【発明が解決しようとする課題】
【０００４】
しかしながら、特許文献１に開示されたレンズ鏡筒においては、上記カム枠に全駆動範囲に亘る二列のカム溝を設ける必要があり、そのために上記カム枠のレンズ光軸方向の長さが増える。従って、レンズ鏡筒としてのレンズ光軸方向の長さが増加し、該レンズ鏡筒が装着されるカメラのコンパクト化や薄型化の支障になる。
【０００５】
本発明は、上述の不具合を解決するためになされたものであり、沈胴状態である非撮影状態におけるレンズ光軸方向の短縮化が可能であり、レンズ鏡筒が装着されるカメラの薄型化も実現可能なズームレンズ鏡筒を提供することを目的とする。
【課題を解決するための手段】
【０００６】
上記課題を解決するために本発明のズームレンズ鏡筒は、伸縮可能なズームレンズ鏡筒において、第一のカムフォロアと第三のカムフォロアとを備え、ズームレンズを構成するズーム光学系の一つのズームレンズを有する第一の移動枠と、上記ズーム光学系の他の一つのズームレンズを保持し、撮影可能時のズーム動作中は、上記ズームレンズ鏡筒の伸縮動作に応じて上記ズーム光学系の光軸上を移動し、上記ズームレンズ鏡筒が上記撮影可能時より短縮される非撮影時には、上記ズームレンズ鏡筒の短縮動作に連動して上記光軸から退避する退避枠を支持しており、第二のカムフォロアを備えた第二の移動枠と、上記第一の移動枠を光軸方向に移動させるため、円周壁に設けられ、光軸周りに回転して上記第一のカムフォロアと係合摺接する有底の第一のカム溝と、上記退避枠を上記短縮動作に連動させて上記光軸外に退避させるために上記第二のカムフォロアと係合摺接する第二のカム溝と、上記退避枠が上記退避した状態において、該退避枠の退避動作のために上記円周壁を薄肉化した薄肉部と、該薄肉部の裏面に配置された上記第一のカム溝の一部であって、該薄肉部を貫通した貫通部と、上記第一のカム溝と同一のカム筋を有し、該貫通部と光軸方向に平行して設けられ、少なくとも上記第一のカムフォロアが該貫通部に位置しているときに上記第三のカムフォロアが摺接する第三のカム溝と有したカム枠とを具備している。
【発明の効果】
【０００７】
本発明のズームレンズ鏡筒によれば、沈胴状態である非撮影状態におけるレンズ光軸方向の短縮化が可能であり、当該レンズ鏡筒が装着されるカメラの薄型化も実現可能なズームレンズ鏡筒を提供することができる。
【図面の簡単な説明】
【０００８】
【図１】本発明の一実施形態であるズームレンズ鏡筒の分解斜視図
【図２】図１のズームレンズ鏡筒の沈胴状態における撮影レンズ光軸を含む縦断面図
【図３】図１のズームレンズ鏡筒の撮影可能なワイド／テレ中間状態における撮影レンズ光軸を含む縦断面図
【図４】図１のズームレンズ鏡筒に適用されるカム枠の拡大斜視図
【図５】図１のズームレンズ鏡筒に適用されるカム枠の拡大側面図
【発明を実施するための形態】
【０００９】
以下、本発明の実施の形態を図に基づいて説明する。
【００１０】
本発明の一実施形態のズームレンズ鏡筒について図１〜５を用いて説明する。以下の説明において、本レンズ鏡筒の撮影レンズの光軸を「Ｏ」とし、該光軸Ｏ方向で被写体側を前方（各鏡枠の繰り出し側）、結像側を後方（各鏡枠の繰り込み側）とする。また、各部材の回転方向は、前方側から見た回転方向で示す。
【００１１】
本実施形態のズームレンズ鏡筒１は、被写体像を電気信号に変換するための撮像ユニット２２を内蔵しており、可動鏡枠部材が光軸Ｏ方向前方に突出した撮影可能な状態と光軸Ｏ方向後方に収納された非撮影状態である沈胴状態とに伸縮可能なズームレンズ鏡筒である。
【００１２】
詳しくは、本実施形態のズームレンズ鏡筒１は、主に図１〜３に示すように固定枠１７と、固定枠１７に支持され、ズーミング時や沈胴駆動時に回転進退駆動される回転枠１４と、回転規制状態で回転枠１４とともに進退する移動枠１５と、回転枠１４と共に回転し、進退移動するカム枠１２と、回転規制状態でカム枠１２とともに進退する二群用直進ガイド枠１３と、回転規制状態でカム枠１２とともに進退移動する一群用直進ガイド枠５と、回転規制状態でカム枠１２により進退駆動され、シャッタユニット７および退避枠である二群枠８を揺動可能に支持する第二の移動枠としての二群ズーム枠６と、回転規制状態でカム枠１２により進退駆動される第一の移動枠としての一群枠２と、フォーカシング時や沈胴駆動時に進退駆動される三群枠１６と、四群枠４１および撮像ユニット２２を保持し、固定枠２１に支持される撮像ベース板１８と、撮影光学系として、一群枠２に保持されるズームレンズとしての一群レンズ３１と、二群枠８に保持される退避可能なズームレンズとしての二群レンズ３２と、三群枠１６に保持されるフォーカシングレンズである三群レンズ３３と、四群枠４１に保持される四群レンズ３４と、固定枠１７に配されるズーム駆動ユニット１９およびフォーカス駆動ユニット２１とを具備している。
【００１３】
固定枠１７は、カメラ本体に固着される円筒状の部材であり、内周部に光軸Ｏに対して傾斜した傾斜カム溝部と円周に沿った円周カム溝部とが連接されてなるカム溝１７ａと、光軸Ｏに沿った直進溝１７ｂと、ロングギヤ５６を収容する凹部１７ｃとを備えている。また、円筒外方部に撮影レンズのズーミング駆動を行うためのユニットであってズームモータ、ロングギヤ５６を駆動するためのギヤ列を含むズーム駆動ユニット１９と、撮影レンズのフォーカシング駆動を行うためのユニットであってフォーカスモータ、ギヤ列、送りねじおよびガイド軸を含むフォーカス駆動ユニット２１とが組み込まれている。なお、ロングギヤ５６は、凹部１７ｃに収容され、光軸Ｏと平行な方向に沿って固定枠１７の内周部に露呈した状態で回転可能に支持されている。
【００１４】
回転枠１４は、固定枠１７の内周部に回動進退可能に嵌入する円筒状の部材であり、外周後方部にカムフォロア１４ｂと、ロングギヤ５６と噛合可能なギヤ部１４ａとが設けられ、また、内周部に前方位置に突起部１４ｃと光軸Ｏ方向中間位置に周方向に沿った円周溝１４ｄと、光軸Ｏ方向に沿ったカム枠用直進溝１４ｅとが設けられている。
【００１５】
この回転枠１４は、カムフォロア１４ｂが固定枠１７のカム溝１７ａに摺動可能に嵌入しており、ロングギヤ５６によりギヤ部１４ａを介して回転駆動され、その回転により回転しながら沈胴位置から撮影可能なワイド位置まで繰り出され、その後、テレ位置まで光軸Ｏ方向に進退することなく回転駆動される。なお、ロングギヤ５６は、固定枠１７に配置されるズームモータを含むズーム駆動ユニット１９のギヤ列（図示せず）を介して回転駆動される。
【００１６】
移動枠１５は、回転枠１４の内周部に相対回転可能に嵌入する円筒状の部材であり、後端外周部にガイド突起部１５ａと、外周前方部に円周溝１５ｂと、外周中央部に配される突起部１５ｃと、内外周を貫通する溝部として、光軸Ｏ方向に対して傾斜するカム枠用カム溝１５ｅおよび直進状の一、二群直進ガイド枠用直進溝１５ｄとが設けられている。
【００１７】
この移動枠１５は、ガイド突起部１５ａを固定枠１７の直進溝１７ｂに摺動可能に嵌入させた状態で回転枠１４の内周部に嵌入され、回転枠１４の内周部に突起部１４ｃを円周溝１５ｂに嵌入させて、さらに、突起部１５ｃを円周溝１４ｄに嵌入させて組み込まれる。従って、移動枠１５は、固定枠１７により回転規制された状態で回転枠１４に対しては相対回転可能な状態で支持されて光軸Ｏ方向に一体移動する。
【００１８】
カム枠１２は、移動枠１５の内周部に嵌入する円筒状の部材であり、カム枠１２の外周後方部に外方に突出する３本のカムフォロア５５と、カムフォロア５５の近傍前位置に部分周方向ガイド溝１２ａと、外周部のカム溝であって、一部底部のないカム溝部を含む有底の第一のカム溝１２ｃと、第三のカム溝１２ｄとが設けられている。さらに、内周部に３対のカム溝であって、第二のカム溝１２ｅ，１２ｆと、突起部１２ｂとが設けられている。
【００１９】
カムフォロア５５は、図３，４に示すように円錐カムフォロア部５５ｂと先端円筒部５５ａとからなる。
【００２０】
カム溝１２ｃ，カム溝１２ｄとが一対のカム溝となり、一群枠２の対のカムフォロア５１，５２に係合し、また、対となるカム溝１２ｅ，１２ｆは、二群ズーム枠６の対のカムフォロア５３，５４にそれぞれ係合するが、これらの詳しい形状と作用については後で説明する。
【００２１】
このカム枠１２は、移動枠１５の内周部に挿入され、カムフォロア５５の円錐カムフォロア部５５ｂを移動枠１５のカム溝１５ｅを摺動可能に係合させた状態で貫通させ、さらに、カムフォロア５５の先端円筒部５５ａを回転枠１４の直進溝１４ｅに嵌入した状態で組み込まれる。従って、カム枠１２は、回転枠１４と共に回動し、かつ、移動枠１５のカム溝１５ｅによって相対的に進退駆動される。
【００２２】
二群用直進ガイド枠１３は、円環形状の部材であり、後端外周に突出する突起部１３ａと、外周に沿って配される円周溝１３ｂと、光軸Ｏ方向前方に突出する直進ガイドキー１３ｃとを備えている。
【００２３】
この二群用直進ガイド枠１３は移動枠１５の内周部に挿入され、突起部１３ａを移動枠１５の直進溝１５ｄに摺動可能に嵌入させ、さらに、円周溝１３ｂにカム枠１２の突起部１２ｂを摺動可能に嵌入させる。従って、二群用直進ガイド枠１３は、移動枠１５を介して回転規制された状態でカム枠１２とともに光軸Ｏ方向に進退移動する。
【００２４】
一群用直進ガイド枠５は、円筒形状の部材であり、後端外周に突出する突起部５ａと、内周後端部に沿って配される円周突起部５ｂと、内周の光軸Ｏ方向に沿った直進溝５ｃとを備えている。
【００２５】
この一群用直進ガイド枠５は、移動枠１５の内周部に挿入され、突起部５ａを移動枠１５の直進溝１５ｄに摺動可能に嵌入させ、さらに、円周突起部５ｂをカム枠１２の周方向ガイド溝１２ａに摺動可能に嵌入させる。従って、一群用直進ガイド枠５は、移動枠１５により回転規制された状態でカム枠１２とともに光軸Ｏ方向に進退移動する。
【００２６】
二群ズーム枠６は、円筒状部材であって、外周部に光軸Ｏ方向に沿った直進溝６ａと、３対の第二のカムフォロアであるカムフォロア５３，５４と、内部に光軸Ｏ方向に沿って突出したガイド軸６ｂと、側壁開口部６ｃが設けられている。なお、それぞれ対となるカムフォロア５３，５４は、所定距離離間した状態で光軸Ｏ方向に沿って配される。二群ズーム枠６の内部にはシャッタユニット７が後方側から挿入され、さらに、その後方に二群枠８が組み込まれる。
【００２７】
この二群ズーム枠６は、カム枠１２の内周部に嵌入し、カムフォロア５３，５４をカム枠１２のカム溝１２ｅ，１２ｆに係合させる。さらに、直進溝６ａに二群用直進ガイド枠１３の直進ガイドキー１３ｃを摺動可能に嵌入させて組み付けられる。従って、二群ズーム枠６は、シャッタユニット７および二群枠８を保持した状態で直進ガイドキー１３ｃによって回転規制され、カム枠１２の回転にともなって光軸Ｏ方向に進退移動する。
【００２８】
シャッタユニット７は、絞り開口部７ａを開閉するためのシャッタ羽根３５を備えており、付勢バネ（図示せず）を介在した状態で光軸Ｏ方向に沿った軸穴７ｂに二群ズーム枠６のガイド軸６ｂを嵌入させて、二群ズーム枠６に装着される。従って、シャッタユニット７は、上記付勢バネ開放状態（レンズ鏡筒１の撮影可能状態）にあるとき、二群ズーム枠６と所定距離だけ光軸Ｏ方向に離間した状態で支持され（図３）、レンズ鏡筒１の沈胴状態にあって二群ズーム枠６が光軸Ｏ方向に後退したとき、上記付勢バネが圧縮され、二群ズーム枠６に接近し、略密着する（図２）。
【００２９】
二群枠８は、二群レンズ３２を保持する部材であって、二群ズーム枠６に対して軸穴部８ａに嵌入する光軸Ｏと平行に二群ズーム枠６に設けられた支持軸９によって光軸Ｏと直交する面上を回動（揺動）可能に支持されている。さらに、カムフォロア８ｂを備えており、固定枠１７、または、撮像ベース板１８に設けられる突起状の退避カム（図示せず）によりカムフォロア８ｂを押圧して回動駆動される。
【００３０】
レンズ鏡筒１が撮影可能状態にあるときは、二群枠８は、支持軸９中心に時計回りに回動しており、二群レンズ３２が光軸Ｏ上に位置している（図３）。レンズ鏡筒１が沈胴状態に繰り込まれると、二群枠８は、固定枠１７側に設けられる上記退避カムにより支持軸９中心に反時計回りに回動駆動（揺動）され、二群レンズ３２が光軸Ｏ上から退避し、二群枠８のレンズ保持部の一部が二群ズーム枠６の側壁開口部６ｃから一部が突出する退避位置に退避する（図２）。このように沈胴状態では二群レンズ３２が光軸Ｏ上から退避することにより一群枠２をより光軸Ｏ方向後方に繰り込むことができる。
【００３１】
一群枠２は、円筒状部材であり、中央開口部に一群レンズ３１が保持され、一群レンズ３１の前側に開閉可能なレンズバリア３が配されており、レンズバリア３の前面部周囲を覆う飾り環４が固着されている。一群枠２の外周部に光軸Ｏ方向に沿った直進ガイド突部２ａと、該突部２ａの内周側に突出するカムフォロアであって、３つの第一のカムフォロア５１と１つの第二のカムフォロア５２が設けられている。一箇所のみで対となるカムフォロア５１，５２は、所定距離離間した状態で光軸Ｏ方向に沿った位置に配される。
【００３２】
一群枠２は、一群用直進ガイド枠５の内周に嵌入され、直進ガイド突部２ａを直進溝５ｃに嵌入させる。さらに、一群枠２は、カム枠１２の外周に被さるように嵌入され、カムフォロア５１，５２をカム溝１２ｃ，１２ｄに係合させて組み付けられる。従って、一群枠２は、一群用直進ガイド枠５によって回転規制された状態のもとでカム枠１２の回転と進退にともなって光軸Ｏ方向に進退移動する。
【００３３】
三群枠１６は、三群レンズ３３を保持しており、固定枠１７により光軸Ｏ方向に進退移動可能に支持され、固定枠１７に配され、フォーカスモータおよび送り機構からなるフォーカス駆動ユニット２１を介してフォーカス駆動時、沈胴駆動時に進退駆動される。
【００３４】
撮像ベース板１８には四群レンズ３４を保持する四群枠４１と撮像ユニット２２とが前面部に取り付けられており、固定枠１７の背面に位置決めして固着される。なお、撮像ユニット２２は、光学フィルタおよび接続ＦＰＣ４３に実装される撮像素子とからなる。
【００３５】
ここで、カム枠１２の外周部の３本のカム溝１２ｃと１本のカム溝１２ｄおよび内周部の３対のカム溝１２ｅ，１２ｆの詳細な形状について、図２，３および図４，５を用いて説明する。
【００３６】
対となるカム溝１２ｃと１２ｄは、それぞれ光軸Ｏ方向に平行移動した前後位置（カム溝１２ｄ側が前方位置に配置される）に同一のカム筋形状で形成される。カム溝１２ｃが一群枠２のカムフォロア５１に、カム溝１２ｄが一群枠２のカムフォロア５２にそれぞれ係合摺接する。そして、カム枠１２が沈胴回転位置からワイド回転位置を経てテレ回転位置に回転したとき、一群枠２を各所定位置に進退させるカム筋を有している。
【００３７】
図４に示すように対となる一方のカム溝１２ｃは、沈胴位置対応カム溝部１２ｃ1と、沈胴／ワイド間対応カム溝部１２ｃ12と、ワイド位置対応カム溝部１２ｃ2と、ワイド／テレ間対応カム溝部１２ｃ23と、テレ位置対応カム溝１２ｃ3とからなる。
【００３８】
カム溝１２ｃの対となる他方のカム溝１２ｄは、沈胴位置対応カム溝部１２ｄ1と、沈胴／ワイド間対応カム溝部１２ｄ12と、ワイド／テレ間対応カム溝部１２ｄ23とからなる。
【００３９】
カム溝１２ｃにおける沈胴位置対応カム溝部１２ｃ1は、後方側のカム壁面部がカットされた開放溝形状を有している。また、ワイド／テレ間対応カム溝部１２ｃ23は、その一部がカム枠１２の内周部の二群枠退避のための薄肉部を形成する逃げ部１２ｈ（後述）の外周側に位置しており、カム枠１２の円筒の一部の厚さが薄くなっており、該カム底面の一部が開口した貫通部１２ｃ5が形成されている（図２，３）。また、テレ位置対応カム溝部１２ｃ3の先端部は開放形状になっている。
【００４０】
上述したカム枠１２の内周部の薄肉の逃げ部１２ｈについて説明すると、図２に示すようにレンズ鏡筒１が沈胴状態にあるとき、上述したように二群枠８が退避回動位置に移動したとき、二群枠８のレンズ保持部が二群ズーム枠６の側壁開口部６ｃがら外方に突出した状態になる。該レンズ保持部がカム枠１２の内周に当接して退避不足となるのを避けるためにカム枠１２の内周の一部に薄肉状の逃げ部１２ｈを設ける。逃げ部１２ｈを設けることによってカム枠１２の外径の増大が抑えられる。
【００４１】
従って、カム枠１２のワイド／テレ間対応カム溝部１２ｃ23の一部が底面のない貫通部１２ｃ5が形成される。但し、逃げ部１２ｈは一箇所であるので、３本のカム溝１２ｃのうち、他の２本については、貫通部１２ｃ5に相当する部分が形成されない。
【００４２】
カム溝１２ｄにおける沈胴位置対応カム溝部１２ｄ1は、切り欠きのない完全なカム溝で形成されている。従って、上述のようにカムフォロア５１が係合するべき沈胴位置対応カム溝部１２ｃ1の後方側カム壁面がカットされていたとしてもカムフォロア５２の方が両壁面のある沈胴位置対応カム溝部１２ｄ1に係合することで、一群枠２は、所望とする沈胴位置に確実に保持される。なお、他の２本のカム溝１２ｃに対しては、前述したように対となるカム溝１２ｄは設けられていない。しかし、該他の２本のカム溝１２ｃに係合するカムフォロア５１は、沈胴位置対応カム溝部１２ｃ1に位置している状態では、二群用直進ガイド枠１３の後端フランジ面に当接することにより光軸Ｏ方向後方の位置決めがなされ、一群枠２の沈胴位置保持は確実になされる。
【００４３】
また、カム溝１２ｄにてカム枠前端面がカットされているために、ワイド位置対応カム溝とテレ位置対応カム溝部、そして、ワイド／テレ間対応カム溝部の前壁面部が存在しない。しかし、レンズ鏡筒がワイド状態およびその近傍状態、あるいは、テレ状態およびその近傍状態にあるとき、一群枠２のカムフォロア５１がカム溝１２ｃのワイド位置対応カム溝部１２ｃ2、ワイド／テレ間対応カム溝部１２ｃ23、テレ位置対応カム溝部１２ｃ3に係合するため、一群枠２は、所望のカム筋に沿って進退移動する。
【００４４】
さらに、ワイド／テレ間対応カム溝部１２ｄ23は、カム枠前端面がカットされているためにカム溝前壁面が存在しないが、カム溝後壁面は、完全状態で形成されている。一方、カム溝１２ｃの貫通部１２ｃ5にあるワイド／テレ間対応カム溝部１２ｃ23の後方壁面側は、上述したように径方向に薄肉になっている。一群枠２に対して落下などによる後方側への衝撃力がカムフォロア５２，５１を介して作用したとき、上述したように貫通部１２ｃ5にあるワイド／テレ間対応カム溝部１２ｃ23の後壁面径方向厚みが薄肉であったとしても上記衝撃力をワイド／テレ間対応カム溝部１２ｄ23の後壁面でも受けることができるので、カム枠１２のカム溝部の破損が防止できる。また、このことによりフォロア５１，５２がカム溝から外れる可能性も少なくなる。
【００４５】
対となるカム溝１２ｅと１２ｆは、それぞれ光軸Ｏ方向に平行移動した前後位置（カム溝１２ｆ側が前方位置に配置される）に同一カム筋形状で形成される。カム溝１２ｅが二群ズーム枠６のカムフォロア５３に、カム溝１２ｆが二群ズーム枠６のカムフォロア５４にそれぞれ係合摺接する。そして、カム枠１２が沈胴回転位置からワイド回転位置を経てテレ回転位置に回転し、二群ズーム枠６をそれぞれのズーム位置に進退させるカム筋を有している。
【００４６】
図４に示すように対となる一方のカム溝１２ｅは、沈胴位置対応カム溝部１２ｅ1と、ワイド／テレ間対応カム溝部１２ｅ23と、テレ位置対応カム溝部１２ｅ3とからなる。なお、テレ位置対応カム溝部１２ｅ3は、カム枠１２の前端突出部１２ｇに配される。
【００４７】
対となる他方のカム溝１２ｆは、沈胴位置対応カム溝部１２ｆ1と、沈胴／ワイド間対応カム溝部１２ｆ12と、ワイド位置対応カム溝部１２ｆ2と、ワイド／テレ間対応カム溝部１２ｆ23とからなる。
【００４８】
カム溝１２ｅにおいて、沈胴位置対応カム溝部１２ｅ1とワイド／テレ間対応カム溝部１２ｅ23の間は、カム枠後端面がカットされているためにカム溝部が存在しない。しかし、カム溝１２ｆ側に沈胴／ワイド間対応カム溝部１２ｆ12と、ワイド位置対応カム溝部１２ｆ2とが存在し、カムフォロア５４が係合する。従って、沈胴／ワイド間およびワイド位置近傍においても二群ズーム枠６は、所望とするカム筋に沿って進退し、保持される。
【００４９】
また、カム溝１２ｆにおいて、カム枠前端面がカットされているためにテレ位置対応カム溝は存在しない。しかし、カムフォロア５３がカム溝１２ｅ側のテレ位置対応カム溝部１２ｅ3に係合するため、二群ズーム枠６は、所望のテレ対応位置に保持される。
【００５０】
次に、上述した構成を有するレンズ鏡筒１の進退動作について、図２，３を用いて説明する。
【００５１】
レンズ鏡筒１が図２に示す沈胴状態から図３に示す撮影可能状態にセットアップする場合、回転枠１４がズーム駆動ユニット１９によってロングギヤ５６を介して時計回りに駆動されると、移動枠１５と共に固定枠１７に対して撮影可能な前方位置に繰り出されている。なお、図３は、レンズ鏡筒１のワイドとテレとの中間の撮影状態を示している。
【００５２】
カム枠１２は、移動枠１５のカム溝１５ｅによって、回転枠１４よりも前方に繰り出される。一群枠２と二群ズーム枠６とは、それぞれカム枠１２のカム溝１２ｃ，１２ｄと１２ｅ，１２ｆにより光軸Ｏ方向前方に繰り出される。
【００５３】
さらに、シャッタユニット７は、二群ズーム枠６の繰り出しに伴って前方に繰り出される。二群枠８も、シャッタユニット７とともに繰り出されるがその繰り出し過程の初期において、支持軸９を中心にして時計回りに回動駆動され、二群レンズ３２が光軸Ｏ上の撮影光路内に進入する。
【００５４】
また、三群枠１６は、フォーカス駆動ユニット２１により撮影状態に対応したフォーカシング位置に進退駆動される。
【００５５】
レンズ鏡筒１が図３に示すワイドとテレとの中間の所定範囲の撮影状態にあるとき、一群枠２のカムフォロア５１は、カム枠１２のワイド／テレ間対応カム溝部１２ｃ23の貫通部１２ｃ5に、また、カムフォロア５２は、ワイド／テレ間対応カム溝部１２ｄ23に係合している。この状態で一群枠２の前面部に光軸Ｏ方向の衝撃力が作用した場合、該衝撃力を上記カムフォロアを介し貫通部１２ｃ5，を有するワイド／テレ間対応カム溝部１２ｄ23の後端面とワイド／テレ間対応カム溝部１２ｄ23の後端面の双方で受けることになる。これにより上記衝撃力によるカム溝の破損が避けられる。また、カムフォロア５１，５２がカム溝１２ｃ，１２ｄから外れる可能性も少なくなる。
【００５６】
レンズ鏡筒１を上述した撮影可能な状態から沈胴状態にセットダウンする場合、図３の撮影可能状態にてズーム駆動ユニット１９によりさらに回転枠１４を反時計回りに回転駆動する。この回転駆動により回転枠１４は、回転しながら繰り込み方向に移動する。
【００５７】
回転枠１４の回転と繰り込み方向の移動に伴ってカム枠１２も繰り込まれながら回転駆動され、カム枠１２を介して一群枠２および二群ズーム枠６が繰り込み方向に駆動される。同時にシャッタユニット７および二群枠８とともに繰り込み方向に移動する。
【００５８】
上述の移動中、二群枠８は、上記退避カムによって反時計回りに退避位置に向けて回動駆動され、二群レンズ３２が光軸Ｏ上の撮影光路から退避する。二群枠８が上記退避位置に回動した状態では、図２に示すように二群枠８の二群レンズ保持部の一部が二群ズーム枠６の開口部６ｃから外方側に突出し、カム枠１２の逃げ部１２ｈ内部に進入する。
【００５９】
回転枠１４、移動枠１５、カム枠１２、一群枠２、二群ズーム枠６、三群枠１６等がそれぞれの沈胴位置に繰り込まれた状態では、図２に示すように各構成鏡枠部材は密着に近い状態に繰り込まれ、固定枠１７の内部に収納される。なお、一群枠２のカムフォロア５１は、カム枠１２の沈胴位置対応カム溝１２ｃに係合する状態になるが、カムフォロア５１の後方側は、沈胴位置対応カム溝１２ｃの後方壁面がカットされているため、カム枠１２の後端面から露呈した状態になる。
【００６０】
本実施形態のレンズ鏡筒１においては、上述したようにカム枠１２のカム溝１２ｃ，１２ｄ、さらに、カム溝１２ｅ，１２ｆを形成することによりカム枠１２の前後端面をそれぞれ削り落として短縮しても一群枠２および二群ズーム枠６を所定のカム筋に沿って進退させることができ、レンズ鏡筒の沈胴状態での短縮化が実現できる。さらに、沈胴状態で二群枠８が光路から退避することからカム枠１２の内周を一部薄肉状態としたことにより当該部分に形成されるカム溝壁面厚みが薄くなったとしても対となる他方のカム溝によってカム枠１２に作用する衝撃力を受けることで耐衝撃性の低下が避けられ、同時にレンズ鏡筒の小型化を実現することができる。
【００６１】
この発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【産業上の利用可能性】
【００６２】
上述のように本発明のズームレンズ鏡筒は、沈胴状態である非撮影状態におけるレンズ光軸方向の短縮化が可能であり、当該レンズ鏡筒が装着されるカメラの薄型化も実現可能なズームレンズ鏡筒として利用が可能である。
【符号の説明】
【００６３】
２…一群枠（第一の移動枠）
６…二群ズーム枠（第二の移動枠）
８…二群枠（退避枠）
９…支持軸（光軸に平行な軸）
１２…カム枠
１２ｃ…カム溝（第一のカム溝）
１２ｃ5…貫通部
１２ｄ…カム溝（第三のカム溝）
１２ｅ，１２ｆ…カム溝（第二のカム溝）
１２ｈ…薄肉状の逃げ部（薄肉部）
３１…一群レンズ（ズームレンズ）
３２…二群レンズ（ズームレンズ）
５１…カムフォロア（第一のカムフォロア）
５２…カムフォロア（第三のカムフォロア）
５３，５４…カムフォロア（第二のカムフォロア）
Ｏ…光軸
【図１】
2010250175.tif 000003
【図２】
2010250175.tif 000004
【図３】
2010250175.tif 000005
【図４】
2010250175.tif 000006
【図５】
2010250175.tif 000007